(57)【要約】【課題】  通話の履歴内容と通話の通話内容とを互いに関連させながら音声信号・出力音声の形態で管理できる携帯電話機を提供すること。【解決手段】  録音通話開始の操作が行われたと判断した際は（Ｓ３１：ＹＥＳ）、電話の通話データを音声信号に変換して蓄積するとともに（Ｓ３２）、当該電話の日時データを音声信号に変換する（Ｓ３７）。さらに、音声信号に変換された通話データ及び日時データで一つの音声信号ファイルを新たに作成して記憶し、これにより、電話毎に作成される音声信号ファイルをもって、通話データ及び日時データを音声信号の形態である通話音声信号及び日時音声信号で保存する（Ｓ３８）。従って、音声信号ファイルから読み出した通話音声信号及び日時音声信号を音波で出力させることができる。【選択図】  図１
2006295634.tif 000002
【特許請求の範囲】
【請求項１】
音声信号の形態に変換された通話に関する時間情報又は電話番号情報と当該時間情報の通話に関する通話情報とによって音声信号の形態で組織された一つのファイルを通話の単位で形成して保存する保存手段と、
前記保存手段で保存されたファイルの音声信号に基づいて音声を出力させる音声信号出力手段と、
前記保存手段を動作させる第１操作手段と、
前記音声信号出力手段を動作させる第２操作手段と、を備えたこと、を特徴とする携帯電話機。
【請求項２】
請求項１に記載する携帯電話機であって、
前記保存手段で保存された一又は複数のファイルを当該ファイルの時間情報に基づいて一覧表示する通話履歴表示手段と、
前記通話履歴表示手段で一覧表示された一又は複数のファイルを選択する選択手段と、を備え、
前記選択手段で選択されたファイルの音声信号に基づいて前記音声信号出力手段が音声を出力すること、を特徴とする携帯電話機。
【発明の詳細な説明】
【技術分野】
【０００１】
本発明は、通話の内容を録音する携帯電話機に関するものである。
【背景技術】
【０００２】
従来、通話の内容を録音することが可能な技術としては、例えば、特許文献１に記載された携帯情報端末がある。この携帯情報端末においては、通話中の音声をボイスメモとして録音する一方で、通話の相手方の電話番号・通話開始時刻などを通話ログとして記憶し、ボイスメモと通話ログとを対応付けて記憶・表示することによって、ボイスメモの選択・再生を容易にしている。
【特許文献１】特開平９−２５２３７２号公報
【０００３】
すなわち、通話ログは文字情報で管理されており、その内容は文字の表示を通じて読み取ることができるので、複数のボイスメモにそれぞれ対応した複数の通話ログを文字で表示することは、複数のボイスメモの中から再生するものを選択する際に大いに役立つ。
【発明の開示】
【発明が解決しようとする課題】
【０００４】
しかしながら、選択したボイスメモの音声信号を再生して出力音声を聴き取る体勢に移行してしまうと、そのボイスメモに対応する通話ログの内容を再確認するには、その通話ログの文字表示を再び読み取ることができる体勢に戻らなければならず、ユーザにとって不便であった。
【０００５】
そこで、本発明は、上述した点を鑑みてなされたものであり、通話の履歴内容と通話の通話内容とを互いに関連させながら音声信号・出力音声の形態で管理できる携帯電話機を提供することを課題とする。
【課題を解決するための手段】
【０００６】
この課題を解決するために成された請求項１に係る発明は、携帯電話機（例えば、携帯電話機１）であって、音声信号の形態に変換された通話に関する時間情報又は電話番号情報と当該時間情報の通話に関する通話情報とによって音声信号の形態で組織された一つのファイル（例えば、音声信号ファイル５１）を通話の単位で形成して保存する保存手段（例えば、制御部１１，Ｓ３８）と、前記保存手段（例えば、制御部１１，Ｓ３８）で保存されたファイル（例えば、音声信号ファイル５１）の音声信号に基づいて音声を出力させる音声信号出力手段（例えば、制御部１１，Ｓ５９）と、前記保存手段（例えば、制御部１１，Ｓ３８）を動作させる第１操作手段（例えば、制御部１１，Ｓ３１：ＹＥＳ）と、前記音声信号出力手段（例えば、制御部１１，Ｓ５９）を動作させる第２操作手段（例えば、制御部１１，Ｓ５８：ＹＥＳ）と、を備えたこと、を特徴としている。
【０００７】
また、請求項２に係る発明は、請求項１に記載する携帯電話機（例えば、携帯電話機１）であって、前記保存手段（例えば、制御部１１，Ｓ３８）で保存された一又は複数のファイル（例えば、音声信号ファイル５１）を当該ファイル（例えば、音声信号ファイル５１）の時間情報に基づいて一覧表示する通話履歴表示手段（例えば、制御部１１，Ｓ５７）と、前記通話履歴表示手段（例えば、制御部１１，Ｓ５７）で一覧表示された一又は複数のファイル（例えば、音声信号ファイル５１）を選択する選択手段（例えば、操作部１７，カーソル７２）と、を備え、前記選択手段（例えば、操作部１７，カーソル７２）で選択されたファイル（例えば、音声信号ファイル５１）の音声信号に基づいて前記音声信号出力手段（例えば、制御部１１，Ｓ５９）が音声を出力すること、を特徴としている。
【発明の効果】
【０００８】
すなわち、本発明の携帯電話機では、通話に関する時間情報又は電話番号情報と通話情報とを、音声信号の形態で組織された一つのファイルに形成することにより、通話の単位で保存し、その保存されたファイルの音声信号に基づいて音声を出力させるので、通話の履歴内容と通話の通話内容とを互いに関連させながら音声信号・出力音声の形態で管理できる。
【発明を実施するための最良の形態】
【０００９】
以下、本発明の実施の形態に係る携帯電話機を図面を参照にして説明する。
図２は、本実施形態に係る携帯電話機１を示した平面図である。図２に示すように、本実施形態に係る携帯電話機１は、表示部１６と操作部１７とが配設されているとともに、アンテナ２０が突設されている。
【００１０】
図３は、本実施形態に係る携帯電話機１を示したブロック図である。図３に示すように、本実施形態に係る携帯電話機１は、制御部１１と、無線部１２、音声部１３、ＲＯＭ１４、ＲＡＭ１５、表示部１６、操作部１７、時計・カレンダー情報部１８、内部メモリ１９などを有している。
【００１１】
制御部１１は、無線部１２や、音声部１３、ＲＯＭ１４、ＲＡＭ１５、表示部１６、操作部１７、時計・カレンダー情報部１８、内部メモリ１９などの各構成要素を制御するものであり、アナログ・ベースバンド処理部やデジタル・ベースバンド処理部・ＣＰＵなどから構成されている。
【００１２】
無線部１２は、携帯電話基地局と無線接続するものであり、外部に突設したアンテナ２０に接続されている。
音声部１３は、音声信号から音声（音波）への変換又は音声（音波）から音声信号への変換を行うものであり、スピーカやマイクロフォンなどから構成される。
【００１３】
ＲＯＭ１４は、後述するフローチャートを動作させるための演算プログラムなどが格納されている不揮発性の読出し専用メモリである。
ＲＡＭ１５は、制御部１１で演算された各種データを一時的に記憶しておくメモリであり、ここでは、電話の音声信号を一時的に蓄積するバッファとしての機能をももつ。
【００１４】
表示部１６は、携帯電話機１に関する各種の情報を表示するものであり、ＬＣＤやＬＣＤドライバなどから構成される。
操作部１７は、携帯電話機１に関する各種の情報を入力するものであり、複数の各種ボタンが配設された構成になっている（図１参照）。
時計・カレンダー情報部１８は、西暦・日付・時刻などの情報を処理するものである。
【００１５】
内部メモリ１９は、携帯電話機１に関する各種の情報を記憶するフラッシュ・メモリであり、ここでは、例えば、登録ファイル３１や、録音通話履歴ファイル４１、音声信号ファイル５１などが記憶されている。尚、内部メモリ１９の構成は、内蔵されたメモリに限るものでなく、スロットに挿入されるメモリ・モジュールであってもよい。
【００１６】
図４は、内部メモリ１９（図３参照）に記憶されている登録ファイル３１の一例を示した図である。図４に示すように、登録ファイル３１は、予め確保された５００個のレコード３２から構成されており、各レコード３２には、登録番号が予め格納されているフィールド３３と、名前が格納されるフィールド３４、電話番号が格納されるフィールド３５が設けられている。尚、登録ファイル３１に対して名前・電話番号をそれぞれ格納させる操作は、後述するフローチャートで説明する。
【００１７】
図５は、内部メモリ１９（図３参照）に記憶されている録音通話履歴ファイル４１の一例を示した図である。図５に示すように、録音通話履歴ファイル４１では、各レコード４２において、録音番号が格納されるフィールド４３と、日付が格納されるフィールド４４、時刻が格納されるフィールド４５、電話番号が格納されるフィールド４６が設けられている。但し、説明の便宜上、図示はしていないが、発信者番号通知で相手の電話番号を取得できない場合には、フィールド４６に電話番号が格納されない。尚、新たに設けられたレコード４２の各フィールド４３〜４６に録音番号・日付・時刻・電話番号がそれぞれ格納されることにより、録音通話履歴ファイル４１が形成されていく過程は、後述するフローチャートで説明する。
【００１８】
図６は、内部メモリ１９（図３参照）に記憶されている音声信号ファイル５１の一例を示した図である。図６に示すように、各音声信号ファイル５１には、録音番号が格納されるフィールド５２と、日時音声信号が格納されるフィールド５３、通話音声信号が格納されるフィールド５４が設けられている。ここで、録音番号の値は、録音通話履歴ファイル４１（図５参照）の録音番号の値に対応する。尚、新たに設けられた音声信号ファイル５１に対して録音番号・日時音声信号・通話音声信号がそれぞれ格納される過程は、後述するフローチャートで説明する。
【００１９】
図７は、録音通話履歴ファイル４１（図５参照）から作成されたイメージ用ファイル６１の一例を示した図である。イメージ用ファイル６１は、表示部１６（図３参照）のＬＣＤに表示されるイメージデータの基になるデータ集合体であり、ＲＡＭ１５（図３参照）において一時的に作成される。図７に示すように、イメージ用ファイル６１には、各レコード６２において、録音番号が格納されるフィールド６３と、日付が格納されるフィールド６４、時刻が格納されるフィールド６５、名前が格納されるフィールド６７、電話番号が格納されるフィールド６６が設けられており、各レコード６２及び各フィールド６３〜６６（フィールド６７は除く）は、録音通話履歴ファイル４１の各レコード４２及び各フィールド４３〜４６にそれぞれ対応している（図５参照）。従って、説明の便宜上、図示はしていないが、発信者番号通知で相手の電話番号を取得できない場合には、フィールド６６に電話番号が格納されない。尚、イメージ用ファイル６１に対して録音番号・日付・時刻・名前・電話番号がそれぞれ格納されていく過程は、後述するフローチャートで説明する。
【００２０】
図８は、イメージ用ファイル６１（図７参照）のイメージデータが格納されたイメージバッファ７１を示す図である。イメージバッファ７１は、ＲＡＭ１５（図３参照）の一部を使用するか又は、表示部１６（図３参照）のＬＣＤドライバなどに専用のメモリを設けることによって確保される。図８の符号１６Ｅで示す二点鎖線は、表示部１６（図３参照）のＬＣＤの表示枠を示しており、この表示枠１６Ｅ内に表示された文字（数字・記号なども含む。以下、同じ）により、録音通話履歴が表示されることになる。尚、説明の便宜上、図示はしていないが、発信者番号通知で相手の電話番号を取得できない場合には、電話番号は表示されない。
【００２１】
次に、本実施形態に係る携帯電話機１で行われる登録ファイル作成処理プログラムについて図９に基づき説明する。図９は、本実施形態に係る携帯電話機１で行われる登録ファイル作成処理プログラムのフローチャートである。尚、本プログラムはＲＯＭ１４に記憶されており、制御部１１により読み出されて実行される。
【００２２】
登録ファイル作成処理プログラムでは、図９に示すように、先ず、Ｓ１１において、名前・電話番号の登録を開始する操作が行われたか否かを判定する。尚、登録開始の操作は、操作部１７を構成するボタンを介してユーザが行う。ここで、登録開始の操作が行われていないと判定したときは（Ｓ１１：ＮＯ）、何もすることなく、登録ファイル作成処理プログラムを終了する。一方、登録開始の操作が行われたと判定したときは（Ｓ１１：ＹＥＳ）、Ｓ１２に進む。
【００２３】
Ｓ１２では、操作部１７を構成するボタンを介して、ユーザにより、名前・電話番号の入力が行われる。このとき、入力された名前・電話番号は、ＲＡＭ１５に一時的に記憶されるとともに表示部１６のＬＣＤに表示される。
【００２４】
その後、Ｓ１３に進むと、操作部１７を構成するボタンを介して、ユーザにより、登録番号の入力が行われる。このとき、入力された登録番号は、ＲＡＭ１５に一時的に記憶されるとともに表示部１６のＬＣＤに表示される。尚、登録番号の入力は、ここでは、登録ファイル３１の構成の関係上、０〜４９９の範囲内で任意に行われる。
【００２５】
その後、Ｓ１４に進むと、Ｓ１２及びＳ１３で入力された事項が正しいか否かを判定する。このとき、入力事項の正否は、表示部１６のＬＣＤに表示されている入力事項をユーザが確認しながら判断し、操作部１７を構成するボタンを介して伝えられる。ここで、入力事項が正しくないと判定したときは（Ｓ１４：ＮＯ）、上述したＳ１２に戻って、Ｓ１２以降の処理を繰り返す。一方、入力事項が正しいと判定したときは（Ｓ１４：ＹＥＳ）、Ｓ１５に進む。
【００２６】
Ｓ１５では、内部メモリ１９の登録ファイル３１において、Ｓ１３で入力された登録番号がフィールド３３に既に格納されているレコード３２に対し、Ｓ１２で入力された名前をフィールド３４に上書きで格納するとともに、Ｓ１２で入力された電話番号をフィールド３５に上書きで格納する。
【００２７】
具体的に言えば、Ｓ１２で「Ａさん」の名前と「０１２３４５×××０」の電話番号を入力し、Ｓ１３で「０００」の登録番号を入力した場合には、内部メモリ１９の登録ファイル３１において、「０００」がフィールド３３に既に格納されているレコード３２に対し、「Ａさん」をフィールド３４に上書きで格納するとともに、「０１２３４５×××０」をフィールド３５に上書きで格納する（図４参照）。
【００２８】
その後、Ｓ１６に進むと、名前・電話番号の登録を継続する操作が行われたか否かを判定する。尚、登録継続の操作は、操作部１７を構成するボタンを介してユーザが行う。ここで、登録継続の操作が行われたと判定したときは（Ｓ１６：ＹＥＳ）、上述したＳ１２に戻って、Ｓ１２以降の処理を繰り返す。一方、登録継続の操作が行われていないと判定したときは（Ｓ１６：ＮＯ）、登録ファイル作成処理プログラムを終了する。
【００２９】
このようにして、図９の登録ファイル作成処理プログラムが実行されると、登録ファイル３１のフィールド３３に既に格納されている登録番号で整理しながら、登録ファイル３１のレコード３２のフィールド３４，３５に対して名前・電話番号がそれぞれ格納され、これによって、名前と電話番号とを対応させて記憶させている。
【００３０】
続いて、本実施形態に係る携帯電話機１で行われる録音通話処理プログラムについて図１に基づき説明する。図１は、本実施形態に係る携帯電話機１で行われる録音通話処理プログラムのフローチャートである。尚、本プログラムはＲＯＭ１４に記憶されており、制御部１１により読み出されて実行される。
【００３１】
録音通話処理プログラムでは、図１に示すように、先ず、Ｓ３１において、録音通話を開始する操作が行われたか否かを判定する。尚、録音通話開始の操作は、操作部１７を構成するボタンを介してユーザが行う。ここで、録音通話開始の操作が行われていないと判定したときは（Ｓ３１：ＮＯ）、何もすることなく、録音通話処理プログラムを終了する。一方、録音通話開始の操作が行われたと判定したときは（Ｓ３１：ＹＥＳ）、Ｓ３２に進む。
【００３２】
Ｓ３２では、電話の通話データを音声信号に変換してＲＡＭ１５に蓄積する。
【００３３】
その後、Ｓ３３に進むと、録音通話を終了する操作が行われたか否かを判定する。尚、録音通話終了の操作は、操作部１７を構成するボタンを介してユーザが行う。ここで、録音通話終了の操作が行われていないと判定したときは（Ｓ３３：ＮＯ）、上述したＳ３２に戻って、Ｓ３２以降の処理を繰り返す。一方、録音通話終了の操作が行われたと判定したときは（Ｓ３３：ＹＥＳ）、Ｓ３４に進む。
【００３４】
Ｓ３４では、相手の電話番号を取得してＲＡＭ１５に一時的に記憶する。尚、着信による電話のときは、発信者番号通知により相手の電話番号を取得する。
【００３５】
その後、Ｓ３５に進むと、時計・カレンダー情報部１８により日付・時刻の文字情報からなる日時データを取得してＲＡＭ１５に一時的に記憶する。尚、日時データの時刻は、Ｓ３２で通話データが蓄積された電話の開始時刻・終了時刻のいずれであってもよい。
【００３６】
その後、Ｓ３６に進むと、内部メモリ１９の録音通話履歴ファイル４１において、新たなレコード４２を形成し、この新たに形成されたレコード４２に対し、Ｓ３５で取得された日時データの日付をフィールド４４に格納し、Ｓ３５で取得された日時データの時刻をフィールド４５に格納し、Ｓ３４で取得した相手の電話番号をフィールド４６に格納し、さらに、録音通話履歴ファイル４１に既に存在する録音番号の最大値に「１」を加算した録音番号をフィールド４３に格納する。
【００３７】
具体的に言えば、内部メモリ１９の録音通話履歴ファイル４１において既存の録音番号の最大値が「６」の場合に、Ｓ３４で「１２３４５６×××１」の電話番号を取得し、Ｓ３５で「１／２０  １２：０１」（１月２０日１２時０１分を意味する文字データ）の日時データを取得したときは、内部メモリ１９の録音通話履歴ファイル４１内で新たに形成したレコード４２に対して、「６」に「１」加算した「７」をフィールド４３に格納し、「１／２０」をフィールド４４に格納し、「１２：０１」をフィールド４５に格納し、「１２３４５６×××１」をフィールド４６に格納する（図５参照）。
【００３８】
その後、Ｓ３７では、ＲＡＭ１５に一時的に記憶されている日時データを音声信号に変換して、Ｓ３８に進む。
具体的に言えば、ＲＡＭ１５に一時的に記憶されている日時データが「１／２０  １２：０１」の場合には、「１月２０日１２時１分です。」に相当する音声信号に変換される。
【００３９】
Ｓ３８では、Ｓ３２で蓄積された通話データの音声信号と、Ｓ３７で音声信号に変換された日時データ、Ｓ３７で算出・格納された録音番号とで、一つの音声信号ファイル５１を作成して内部メモリ１９に記憶し、その後に、録音通話処理プログラムを終了する。
【００４０】
具体的に言えば、図６に示すように、一つの音声信号ファイル５１が作成されると、Ｓ３７で算出・格納された登録番号がフィールド５２に格納され、Ｓ３７で音声信号に変換された日時データが日時音声信号としてフィールド５３に格納され、Ｓ３２で蓄積された通話データの音声信号が通話音声信号としてフィールド５４に格納される。
【００４１】
このようにして、図１の録音通話処理プログラムが実行されると、録音通話履歴ファイル４１のレコード４２のフィールド４３〜４６に対して録音番号・日付・時刻・電話番号がそれぞれ格納され、これによって、録音番号と日付と時刻と電話番号とを対応させながら記憶させている。さらに、新たに形成した一つの音声信号ファイル５１のフィールド５２〜５４に対して録音番号・日時音声信号・通話音声信号がそれぞれ格納され、これによって、録音番号と日時音声信号と通話音声信号とを対応させながら記憶させている。以上より、録音通話履歴ファイル４１と音声信号ファイル５１との間では、録音番号を介して、通話データが録音された電話に関する日付と時刻と電話番号と日時音声信号と通話音声信号とが対応した状態で記憶されている。
【００４２】
続いて、本実施形態に係る携帯電話機１で行われる録音通話履歴表示処理プログラムについて図１０に基づき説明する。図１０は、本実施形態に係る携帯電話機１で行われる録音通話履歴表示処理プログラムのフローチャートである。尚、本プログラムはＲＯＭ１４に記憶されており、制御部１１により読み出されて実行される。
【００４３】
録音通話履歴表示処理プログラムでは、図１０に示すように、先ず、Ｓ５１において、録音通話の履歴を表示する操作が行われたか否かを判定する。尚、録音通話履歴表示の操作は、操作部１７を構成するボタンを介してユーザが行う。ここで、録音通話履歴表示の操作が行われていないと判定したときは（Ｓ５１：ＮＯ）、何もすることなく、録音通話履歴表示処理プログラムを終了する。一方、録音通話履歴表示の操作が行われたと判定したときは（Ｓ５１：ＹＥＳ）、Ｓ５２に進む。
【００４４】
Ｓ５２では、内部メモリ１９に記憶されている録音通話履歴ファイル４１をＲＡＭ１４に読み出し、その後に、Ｓ５３に進む。
【００４５】
Ｓ５３では、ＲＡＭ１４に読み出した録音通話履歴ファイル４１からイメージ用ファイル６１を作成する。
具体的に言えば、図７に示すように、録音通話履歴ファイル４１のレコード４２及びフィールド４３〜４６に対応させながら、イメージ用ファイル６１のレコード６２及びフィールド６３〜６６を作成（複製）するとともに、名前が格納されるフィールド６７をフィールド６５，６６の間に挿入させる。
【００４６】
その後、Ｓ５４に進むと、イメージ用ファイル６１内の電話番号が内部メモリ１９に記憶されている登録ファイル３１内にあるか否かを判定する。尚、この判定は、イメージ用ファイル６１のフィールド６６と登録ファイル３１のフィールド３５とに格納された各電話番号を照合することにより行う。ここで、イメージ用ファイル６１内の電話番号が登録ファイル３１内にないと判定したときは（Ｓ５４：ＮＯ）、後述するＳ５７に進む。一方、イメージ用ファイル６１内の電話番号が登録ファイル３１内にあると判定したときは（Ｓ５４：ＹＥＳ）、Ｓ５５に進む。
【００４７】
Ｓ５５では、イメージ用ファイル６１と登録ファイル３１の双方に存在する電話番号について、当該電話番号に対応する名前を登録ファイル３１で検索する。尚、この検索は、当該電話番号が格納されたフィールド３５を有するレコード３２のフィールド３４から探し出され、当該電話番号が複数ある場合には連続して行われる。
【００４８】
その後、Ｓ５６に進むと、Ｓ５５で検索された名前をイメージ用ファイル６１に書き込む。尚、この書込は、Ｓ５５で検索対象となった電話番号が格納されたフィールド６６を有するレコード６２のフィールド６７に格納され、当該電話番号が複数ある場合には連続して行われる。
【００４９】
その後、Ｓ５７に進むと、イメージ用ファイル６１に基づく録音通話履歴の表示が行われる。
具体的言えば、ＲＡＭ１４に作成されたイメージ用ファイル６１に基づいて、図８に示すように、イメージバッファ７１上にイメージデータが格納されることにより、表示部１６のＬＣＤドライバを介して、表示部１６のＬＣＤの表示枠１６Ｅ内に録音通話履歴が文字で表示される。尚、録音通話履歴においては、録音番号と日付と時刻と名前と電話番号とを組み合わせた状態で、通話データが録音された電話の履歴を示している。この点、説明の便宜上、図示はしていないが、登録ファイル３１内に電話番号がないものについては、名前が表示されない。また、説明の便宜上、図示はしていないが、発信者番号通知がないものについては、名前及び電話番号が表示されない。
【００５０】
その後、Ｓ５８に進むと、音声を再生する操作が行われたか否かを判定する。尚、音声再生の操作は、操作部１７を構成するボタンを介してユーザが行うが、このとき、音声を再生する対象は、図８に示すように、表示部１６のＬＣＤの表示枠１６Ｅ内に表示されているカーソル７２を録音通話履歴の登録番号に重ねることにより選定する。ここで、音声再生の操作が行われていないと判定したときは（Ｓ５８：ＮＯ）、何もすることなく、録音通話履歴表示処理プログラムを終了する。一方、音声再生の操作が行われたと判定したときは（Ｓ５８：ＹＥＳ）、Ｓ５９に進む。
【００５１】
Ｓ５９では、カーソル７２が重ねられた登録番号を格納している音声信号ファイル５１から通話音声信号と日時音声信号を読み出し、カーソル７２で選定した電話の通話データと日時データを音声部１３から出力させ、その後に、録音通話履歴表示処理プログラムを終了する。
具体的に言えば、例えば、図８に示すように、登録番号の「６」にカーソル７２が重ねられている場合は、登録番号の「６」が格納されている音声信号ファイル５１から通話音声信号と日時音声信号を読み出して通話データと日時データを音声部１３のスピーカから出力させる。尚、この場合に音声部１３のスピーカから出力される日時データは、「１月１０日１１時２分です。」との音声となる。
【００５２】
以上より、制御部１１は、図１に示す録音通話処理プログラムのＳ３８を実行して、内部メモリ１９に音声信号ファイル５１を新たに形成する際には、「保存手段」として機能する。
また、制御部１１は、図１０に示す録音通話履歴表示処理プログラムのＳ５９を実行して、内部メモリ１９内の音声信号ファイル５１から通話音声信号と日時音声信号を読み出して通話データと日時データを音声部１３のスピーカから出力させる際には、「音声出力手段」として機能する。
【００５３】
また、制御部１１は、図１に示す録音通話処理プログラムのＳ３１を実行して、操作部１７を構成するボタンを介した録音通話開始の操作が行われたと判断した際は（Ｓ３１：ＹＥＳ）、「第１操作手段」として機能する。
また、制御部１１は、図１０に示す録音通話履歴表示処理プログラムのＳ５８を実行して、操作部１７を構成するボタンを介した音声再生の操作が行われたと判断した際は（Ｓ５８：ＹＥＳ）、「第２操作手段」として機能する。
【００５４】
また、制御部１１は、図１０に示す録音通話履歴表示処理プログラムのＳ５７を実行して、イメージ用ファイル６１に基づく録音通話履歴を表示部１６のＬＣＤの表示枠１６Ｅ内で表示した際には、「通話履歴表示手段」として機能する。
【００５５】
以上詳細に説明したように、本実施の形態に係る携帯電話機１では、操作部１７を構成するボタンを介した録音通話開始の操作が行われたと判断した際は（Ｓ３１：ＹＥＳ）、電話の通話データを音声信号に変換してＲＡＭ１５に蓄積するとともに（Ｓ３２）、当該電話の日時データを音声信号に変換し（Ｓ３７）、そして、音声信号に変換された通話データ及び日時データで一つの音声信号ファイル５１を新たに作成して内部メモリ１９に記憶することにより、電話毎に作成される音声信号ファイル５１で通話データ及び日時データを音声信号の形態である通話音声信号及び日時音声信号で保存する（Ｓ３８）。その後、操作部１７を構成するボタンを介した音声再生の操作が行われたと判断した際は（Ｓ５８：ＹＥＳ）、音声信号ファイル５１から読み出した通話音声信号及び日時音声信号を音声部１３のスピーカから出力させる（Ｓ５９）。よって、本実施の形態に係る携帯電話機１では、録音通話の履歴内容と録音通話の通話内容とを互いに関連させながら音声信号・出力音声の形態で管理できる。
【００５６】
また、本実施の形態に係る携帯電話機１において、表示部１６のＬＣＤの表示枠１６Ｅ内に表示されている録音通話履歴では、図８に示すように、日付・時間を示す日時データが文字で表示されているが、操作部１７を構成するボタンを介した音声再生の操作が行われると（Ｓ５８：ＹＥＳ）、その日時データを音声部１３のスピーカから出力させることができる（Ｓ５９）。
【００５７】
尚、本発明は上記実施の形態に限定されるものでなく、その趣旨を逸脱しない範囲で様々な変更が可能である。
例えば、音声信号に変換された通話データ及び日時データで一つの音声信号ファイル５１を新たに作成して内部メモリ１９に記憶する際に、データ圧縮して記憶すれば、内部メモリ１９の消費量を抑えることができる。
【００５８】
また、図６に示す音声信号ファイル５１において、音声信号に変換された通話データである通話音声信号と音声信号に変換された日時データである日時音声信号とが格納されるフィールド５３，５４を入れ替えれば、音声部１３のスピーカから出力される順番を逆にすることができる。
【００５９】
また、図１に示す録音通話処理プログラムのＳ３７では、日時データを音声信号に変換しているが、この点、電話番号が録音通話履歴に表示することができる場合には、日時データに加えて電話番号も音声信号に変換し、さらに、音声信号ファイル５１内の新たなフィールドに格納させれば、通話データ及び日時データとともに電話番号をも音声部１３のスピーカから出力させることが可能となる。
【産業上の利用可能性】
【００６０】
本発明は、携帯電話機で録音した通話の内容を再生する技術に適用し得る。
【図面の簡単な説明】
【００６１】
【図１】本実施形態に係る携帯電話機で行われる録音通話処理プログラムのフローチャートである。
【図２】本実施形態に係る携帯電話機を示した平面図である。
【図３】本実施形態に係る携帯電話機を示したブロック図である。
【図４】本実施形態に係る携帯電話機の登録ファイルの一例を示した図である。
【図５】本実施形態に係る携帯電話機の録音通話履歴ファイルの一例を示した図である。
【図６】本実施形態に係る携帯電話機の音声信号ファイルの一例を示した図である。
【図７】本実施形態に係る携帯電話機の録音通話履歴ファイルから作成されたイメージ用ファイルの一例を示した図である。
【図８】本実施形態に係る携帯電話機のイメージ用ファイルのイメージデータが格納されたイメージバッファの一例を示した図である。
【図９】本実施形態に係る携帯電話機で行われる登録ファイル作成処理プログラムのフローチャートである。
【図１０】本実施形態に係る携帯電話機で行われる録音通話履歴表示処理プログラムのフローチャートである。
【符号の説明】
【００６２】
１  携帯電話機
１１  制御部
１３  音声部
１６  表示部
１７  操作部
１８  時計・カレンダー情報部
１９  内部メモリ
４１  録音通話履歴ファイル
５１  音声信号ファイル
７２  カーソル
【図１】
2006295634.tif 000003
【図２】
2006295634.tif 000004
【図３】
2006295634.tif 000005
【図４】
2006295634.tif 000006
【図５】
2006295634.tif 000007
【図６】
2006295634.tif 000008
【図７】
2006295634.tif 000009
【図８】
2006295634.tif 000010
【図９】
2006295634.tif 000011
【図１０】
2006295634.tif 000012